(57)【特許請求の範囲】
【請求項１】
蛋白分解酵素、脂肪分解酵素、並びに、アルカリ金属炭酸塩、アルカリ金属炭酸水素塩、アルカリ金属硫酸塩、アルカリ金属ハロゲン化物、及びホウ素のアルカリ金属塩からなる群から選ばれる少なくとも一種のアルカリ金属塩を含有し、界面活性剤を含有しないマイクロバブル洗浄用組成物と、マイクロバブルとを含有する洗浄液を用いる物品の洗浄方法であって、
清浄な水に、水６〜１０リットルに対し、１〜１０ｇの前記洗浄用組成物を添加して得られる洗浄液をマイクロバブル発生装置に導入し、該装置内でマイクロバブルを含有させ、このマイクロバブルを含有する洗浄液を物品に向けてシャワーノズルから吐出させて、物品を洗浄するか、
清浄な水に、水６〜１０リットルに対し、１〜１０ｇの前記洗浄用組成物を添加して得られる洗浄液中に、マイクロバブル発生装置に連結されたノズルからマイクロバブルを含む水を送り込んで、マイクロバブルを含有する洗浄液を調製し、この洗浄液内に物品を浸漬させて洗浄すること
を特徴とする物品の洗浄方法。
【請求項２】
人体と接触することによって汚れが付着した物品の洗浄方法であることを特徴とする請求項１に記載の洗浄方法。
【請求項３】
アクセサリー、眼鏡、腕時計のベルト、万年筆、爪切り、鋏、ボタン、コイン、医療器具、レンズ、食器、おもちゃ及び実験器具からなる群より選ばれる物品の洗浄方法であることを特徴とする請求項１又は２に記載の洗浄方法。
【請求項４】
蛋白分解酵素の配合量が、組成物全体に対して０．０１〜０．５重量％であり、脂肪分解酵素の配合量が、組成物全体に対して０．１〜１．０重量％であるマイクロバブル洗浄用組成物を用いる請求項１〜３のいずれかに記載の洗浄方法。
【請求項５】
アルカリ金属塩の配合量が、組成物全体に対して８０〜９９．５重量％であるマイクロバブル洗浄用組成物を用いる請求項１〜４のいずれかに記載の洗浄方法。
【請求項６】
洗浄する温度が２０〜４０℃である請求項１〜５のいずれかに記載の洗浄方法。
【発明の詳細な説明】
【技術分野】
【０００１】
本発明は、物品の洗浄方法、詳しくは、人体と接触することによって皮脂等の汚れが付着した物品を簡便に効果的に洗浄する方法に関する。
【背景技術】
【０００２】
腕時計、アクセサリー、眼鏡等のように人が直に身につけるものや、人が触れて使用する物品は、汗や皮脂が付着して汚れやすく、カビが発生する場合もある。
このような汚れに対しては、通常、洗剤等を用いて、スポンジやブラシで拭いたりこすったりする洗浄が行われる。
しかしながら、腕時計の金属製ベルト等のように、特に細かく小さく編み込まれた形状を有するものは、表面を拭いただけでは、隙間の奥に入り込んだ内部の汚れまでは除去することができず、すぐにまた発生したカビが表面にまで及んで黒くなってくる場合がある。
【０００３】
従来、このような隙間の奥の汚れを洗浄する方法としては、超音波による洗浄方法が知られている。しかしながら、超音波洗浄では、細かい振動が連続して発生し、物品に衝撃を与えるため、たとえ防水加工が施されていても、精密機器である時計本体を超音波洗浄機の水槽内に浸けて、超音波の衝撃にさらすことは避けるべきである。さらに、時計本体のガラス（風防）や裏蓋にひびや傷等が生じていたり、ゴムパッキンが劣化している場合には、超音波の細かい振動によりそこから水が入って、時計が使用不可能になるおそれもある。
よって、腕時計の金属製ベルトを超音波洗浄する場合等においては、時計本体が超音波洗浄機の水槽に浸からないようにしたり、ベルトを時計本体から外してから洗浄する等の注意を要する。
【０００４】
本発明に関連して、特許文献１には、蛋白分解酵素及び脂肪分解酵素を含有するマイクロバブル洗浄用組成物、及びマイクロバブルを含有する洗浄液を用いて洗浄することを特徴とする、人体又は動物のマイクロバブル洗浄方法が記載されている。
【先行技術文献】
【特許文献】
【０００５】
【特許文献１】特開２００８−９４７２６号公報
【発明の開示】
【発明が解決しようとする課題】
【０００６】
本発明は、人体と接触することによって皮脂等の汚れが付着した物品を、安全に、簡便にかつ効果的に洗浄する方法を提供することを目的とする。
【課題を解決するための手段】
【０００７】
本発明者らは、上記課題を解決すべく、蛋白分解酵素及び脂肪分解酵素を含有するマイクロバブル洗浄用組成物、及びマイクロバブルを含有する洗浄液を用いて、細かく小さく編み込まれた（メッシュ状の）形状を有し、使用により黒ずんでしまった腕時計の金属製ベルトの洗浄を試みたところ、ベルトの黒ずみが消え、ベルトの内部まで効果的に清浄できることを見出し、その知見を一般化することにより本発明を完成するに至った。
【０００８】
かくして本発明によれば、下記（１）〜（５）に記載の物品の洗浄方法が提供される。
（１）蛋白分解酵素及び脂肪分解酵素を含有し、界面活性剤を含有しないマイクロバブル洗浄用組成物、並びにマイクロバブルを含有する洗浄液を用いることを特徴とする、物品の洗浄方法。
（２）人体と接触することによって汚れが付着した物品の洗浄方法であることを特徴とする（１）に記載の洗浄方法。
【０００９】
（３）アクセサリー、眼鏡、腕時計のベルト、万年筆、爪切り、鋏、ボタン、コイン、医療器具、レンズ、食器、おもちゃ及び実験器具からなる群より選ばれる物品の洗浄方法であることを特徴とする（１）又は（２）に記載の洗浄方法。
（４）蛋白分解酵素の配合量が、組成物全体に対して０．０１〜０．５重量％であり、脂肪分解酵素の配合量が、組成物全体に対して０．１〜１．０重量％であるマイクロバブル洗浄用組成物を用いる（１）〜（３）のいずれかに記載の洗浄方法。
【００１０】
（５）さらに、アルカリ金属炭酸塩、アルカリ金属炭酸水素塩、アルカリ金属硫酸塩、アルカリ金属ハロゲン化物、及びホウ素のアルカリ金属塩からなる群から選ばれる少なくとも一種のアルカリ金属塩を含有するマイクロバブル洗浄用組成物を用いる（１）〜（４）のいずれかに記載の洗浄方法。
（６）アルカリ金属塩の配合量が、組成物全体に対して８０〜９９．５重量％であるマイクロバブル洗浄用組成物を用いる（５）に記載の洗浄方法。
【発明の効果】
【００１１】
本発明によれば、人体と接触することによって皮脂等の汚れが付着した物品、特に、細かく小さく編み込んだ形状を有する、腕時計の金属製ベルト等を、安全に、簡便にかつ効果的に洗浄することができる。
【図面の簡単な説明】
【００１２】
【図１】本発明の洗浄方法を実施するための装置の一例の構成を示す図である。
【図２】本体１の構成を示す図である。
【図３】実施例１における、腕時計のバンドを洗浄する状態の写真図である。
【図４】実施例１における、腕時計を洗浄する状態の写真図である。
【図５】実施例１における、腕時計のバンドを洗浄する前のマイクロバブル入りの洗浄用組成物の水溶液の写真図である。
【図６】実施例１における、腕時計のバンドを洗浄した後のマイクロバブル入りの洗浄用組成物の水溶液の写真図である。
【発明を実施するための最良の形態】
【００１３】
本発明の物品の洗浄方法は、蛋白分解酵素及び脂肪分解酵素を含有し、界面活性剤を含有しないマイクロバブル洗浄用組成物、並びにマイクロバブルを含有する洗浄液を用いることを特徴とする。
【００１４】
本発明の洗浄方法の対象（被洗浄物）となる物品は、水に濡れてもよいものであれば、特に制約はないが、人体と接触することによって皮脂等の汚れが付着した物品であるのが好ましい。
【００１５】
物品としては、具体的には、指輪、ネックレス、ブレスレット、ピアス、イヤリング、ブローチ、タイピン、カフス、髪留め、ストラップ等のアクセサリー；眼鏡、腕時計のベルト、万年筆、爪切り、鋏等の日用品；ボタン；コイン；ピンセット等の医療器具；レンズ；食器；おもちゃ；実験器具；等が挙げられる。
【００１６】
本発明の洗浄方法においては、本発明の効果をより発揮することができることから、これらの中でも、細かく入り組んだ形状を有し、隙間の奥に汚れが付着すると、それを除去するのが困難となるような物品が好ましい。
そのような物品としては、腕時計の金属製バンド〔特に、細かく小さく編み込まれた形状（メッシュ状）を有する金属製バンド〕、複雑なデザインを有するアクセサリー等が挙げられる。
【００１７】
本発明の洗浄方法によれば、布やブラシで擦ったり、水流では落ちにくい、隙間の奥にまで浸透した汚れを、安全に、簡便にかつ効果的に除去することができる。
なかでも、後述するように、腕時計の金属製バンドは、時計本体が日常防水加工が施されたものであれば、時計本体をバンドから外すことなく、腕時計ごと洗浄することができるため、特に好ましい。
【００１８】
〈マイクロバブル洗浄用組成物〉
本発明に用いるマイクロバブル洗浄用組成物（以下、「本発明の組成物」ということがある。）は、蛋白分解酵素及び脂肪分解酵素を含有し、界面活性剤を含有しないことを特徴とする。
【００１９】
蛋白分解酵素（プロテアーゼ）は、ペプチド結合の加水分解を触媒する酵素の総称である。
蛋白分解酵素は、特有の作用最適ｐＨを有し、酸性プロティナーゼ、中性プロティナーゼ、アルカリ性プロティナーゼに分類することができる。本発明においては、特に制限なく、これら蛋白分解酵素のいずれも使用することができる。
【００２０】
蛋白分解酵素としては、特に制限されないが、例えば、キモトリプシン（ｃｈｙｍｏｔｒｙｐｓｉｎ）、スブチリシン（ｓｕｂｔｉｌｉｓｉｎ）、ペプシン（ｐｅｐｓｉｎ）、カテプシンＤ（ｃａｔｈｅｐｓｉｎ Ｄ）、サーモリシン（ｔｈｅｒｍｏｌｙｓｉｎ）、パパイン（ｐａｐａｉｎ）、カスパーゼ（ｃａｓｐａｓｅ）、ブロメライン（ｂｒｏｍｅｌａｉｎ）、アクチニジン（ａｃｔｉｎｉｄｉｎ）、フィチン（ｆｉｃｉｎ）、トリプシン（ｔｒｙｐｓｉｎ）、パンクレアチン（Ｐａｎｃｒｅａｔｉｎ）等が挙げられる。
これらの蛋白分解酵素は一種単独で、あるいは二種以上を組み合わせて用いることができる。
【００２１】
蛋白分解酵素の具体例としては、商品名で、プロチンＡＣ１０Ｆ（大和化成社製）、サビナーゼ、アルカラーゼ、エスペラーゼ、デュラザイム（以上、ノボインダストリー社製）、マキサペム、マキサターゼ（ギスト・ブロカーズ社製）、ビオプラーゼ（ナガセ生化学工業社製）等が挙げられる。
【００２２】
これらの中でも、優れた洗浄効果を得る上では、少なくともパンクレアチンを用いるのが好ましく、パンクレアチンと他の蛋白分解酵素を組み合わせて用いるのがより好ましい。
【００２３】
蛋白分解酵素の配合量は、特に限定されないが、組成物全体に対して、好ましくは０．０１〜０．５重量％、より好ましくは、０．２〜０．３重量％である。
【００２４】
本発明の組成物に用いる脂肪分解酵素は、脂肪を加水分解してグリセリンと脂肪酸に分解する酵素であり、リパーゼともいう。
【００２５】
脂肪分解酵素としては、特に制限されないが、例えば、Ｒｈｉｚｏｐｕｓ ａｒｒｈｉｚｕｓ起源のリパーゼ、Ａｓｐｅｒｇｉｌｌｕｓ ｎｉｇｅｒ起源のリパーゼ、Ｒｈｉｚｏｐｕｓ ｄｅｌｅｍａｒ等のカビ由来のリパーゼ；Ｃａｎｄｉｄａ ｃｙｌｉｎｄｒａｃｅａ等の酵母由来のリパーゼ；Ｐｓｅｕｄｏｍｏｎａｓ属等の細菌由来のリパーゼ；プレガストリック・リパーゼ又はオーラル・リパーゼ等反芻動物の哺乳期の消化管組織に存在するリパーゼ；ブタ肝臓リパーゼ；等が挙げられる。
これらの脂肪分解酵素は一種単独で、あるいは二種以上を組み合わせて用いることができる。より優れた洗浄効果を得る上では、二種以上の脂肪分解酵素を用いることが好ましい。
【００２６】
脂肪分解酵素の具体例としては、商品名で、スミチームＮＬＳ（新日本化学工業社製）、リパーゼＭ「アマノ」１０、リパーゼＭ「アマノ」１０、リパーゼＧ「アマノ」５０、リパーゼＦ−ＡＰ１５、リパーゼＡＹ「アマノ」３０Ｇ、リパーゼＲ「アマノ」Ｇ、リパーゼＴ「アマノ」、リパーゼＭＥＲ「アマノ」（以上、天野エンザイム社製）、ピカンターゼＲ８０００、ピカンターゼＡ（以上、ロビン社製）、トヨチーム・ＬＩＰ（東洋紡績社製）、リリパーゼＡ−１０ＦＧ、リリパーゼＡＦ−５（ナガセケムテックス社製）、グリンドアミルＥＸＥＬ６３９（ダニスコ カルタージャパン社製）、クリアーレンズリポ、リポラーゼ、ライペックス、リポザイム、レジナーゼ、パラターゼ、グリーゼックス、リポパン、ノボザイム４３５、レシターゼ（ノボザイムズ社製）、リパーゼＭＹ、リパーゼＯＦ、リパーゼＰＬ、リパーゼＱＬＭ、リパーゼＡＬ、ホスホリパーゼＤ（名糖産業社製）、エンチロンＡＫＧ（洛東化成工業社製）、ホスホリパーゼＡ１（三共ライフテック社製）、リポモッド６９９Ｌ、リゾマックスＰＦ（ジェネンコア協和社製）等が挙げられる。
【００２７】
脂肪分解酵素の配合量は、組成物全体に対して、通常０．１〜１．０重量％、好ましくは、０．３〜０．８重量％である。
【００２８】
本発明の組成物は、マイクロバブルのより優れた洗浄効果を得る観点から、界面活性剤を含有しない。界面活性剤を含有させると、過剰に泡立ち、かえって洗浄効果が低下する場合がある。
一方、超音波による洗浄方法においては、通常、表面張力を打ち消すために界面活性剤が用いられるため、すすぎの操作が必須となる。
本発明の洗浄方法においては、界面活性剤を使用しないため、泡立ちがなく、すすぎがほとんど不要であるため、操作が簡便で、環境に優しい。
【００２９】
本発明の組成物は、上述した、蛋白分解酵素及び脂肪分解酵素に加えて、さらにアルカリ金属塩を含有するのが好ましい。
アルカリ金属塩は、洗浄効果を高め、水（温水）を柔らかく（軟水化）し、また、増量剤としての役目を有する。
【００３０】
用いるアルカリ金属塩としては、特に制約されないが、例えば、炭酸ナトリウム、炭酸カリウム等のアルカリ金属炭酸塩；炭酸水素ナトリウム、炭酸水素カリウム等のアルカリ金属炭酸水素塩；硫酸ナトリウム、硫酸カリウム等のアルカリ金属硫酸塩；塩化ナトリウム、塩化カリウム等のアルカリ金属ハロゲン化物；四ホウ酸ナトリウム（ホウ砂）、ホウ酸ナトリウム等のホウ素のアルカリ金属塩；ケイ酸ナトリウム等のアルカリ金属ケイ酸塩；硫化ナトリウム等のアルカリ金属硫化物；硝酸ナトリウム等のアルカリ金属硝酸塩；リン酸ナトリウム、リン酸二水素ナトリウム等のアルカリ金属リン酸塩；チオ硫酸ナトリウム等のアルカリ金属のチオ硫酸塩；等が挙げられる。
これらのアルカリ金属塩は一種単独で、あるいは二種以上を組み合わせて用いることができる。
【００３１】
本発明の組成物においては、これらの中でも、アルカリ金属炭酸塩、アルカリ金属炭酸水素塩、アルカリ金属硫酸塩、アルカリ金属ハロゲン化物、及びホウ素のアルカリ金属塩からなる群から選ばれる少なくとも一種を含有するのが好ましく、炭酸水素ナトリウム、硫酸ナトリウム、及びホウ砂からなる群から選ばれる少なくとも一種を含有するのがより好ましく、炭酸水素ナトリウム、硫酸ナトリウム及びホウ砂を含有するのが特に好ましい。
【００３２】
アルカリ金属塩の配合量は、通常８０〜９９．５重量％、好ましくは９５〜９９重量％である。
本発明の洗浄用組成物が、炭酸水素ナトリウム、硫酸ナトリウム及びホウ砂を含有する場合、炭酸水素ナトリウムの配合量は、組成物全体に対して、好ましくは１０〜３５重量％、特に好ましくは２０〜３０重量％であり、硫酸ナトリウムの配合量は、組成物全体に対して、好ましくは３０〜７０重量％、特に好ましくは４０〜６０重量％であり、ホウ砂の配合量は、組成物全体に対して、好ましくは１０〜３５重量％、特に好ましくは２０〜３０重量％である。
【００３３】
本発明の組成物は、さらに、シリカ系乾燥剤を含有するのが好ましい。
乾燥剤は、蛋白分解酵素及び脂肪分解酵素の力価を安定させる役目を有する。シリカ系乾燥剤としては、サイリシア（多孔質微粉末シリカ）等が挙げられる。
シリカ系乾燥剤の配合量は、通常０．０１〜１重量％、好ましくは０．１〜０．２重量％である。
【００３４】
本発明の組成物には、さらに、必要に応じてその他の成分を添加することができる。
その他の成分としては、上記アルカリ金属塩以外の無機塩、香料、着色剤、防腐剤、抗菌剤、粘性付与剤、薬効成分、その他の洗浄剤に通常使用される添加剤が挙げられる。
【００３５】
アルカリ金属塩以外の無機塩としては、炭酸マグネシウム、硫酸マグネシウム等のマグネシウム塩；炭酸カルシウム、硝酸カルシウム、チオ硫酸カルシウム、リン酸水素カルシウム等のカルシウム塩；ミョウバン；等が挙げられる。これらの無機塩の配合量は、本発明のマイクロバブル洗浄用組成物の奏する効果が損なわれない範囲で、適宜定めることができる。
【００３６】
香料としては、例えば、アビエス油、アンゲリカ油、アニス油、バルサム・コパイバ、バジル油、ベイ油、ベルガモット油、バーチ油、ローズ・ウッド油、カヤブテ油、カシア油、アカシア油、シダーウッド油、カモミル油、桂皮油、桂葉油、シトロネラ油、エレミ油、ユーカリ油、ゼラニウム油、ひば油、ひのき油、ラバンジン油、ラベンダー油、レモン油、ミント油、ネロリ油、ナツメグ油、オークモス油、オコチア油、パチュリ油、パルマローザ油、ポライ油、ローズ油、ローズマリー油、サンダルウッド油、ベチバー油、イランイラン油等の植物精油；リモネン、テルピノーレン、ｐ−サイメン、９−デセノール、ムゴール、ミルセノール、ボルネオール、ベチベロール、ｔ−ブチルシクロヘキサノール、アニソール、アネトール、サフロール、シトラール、シトロネラール、桂皮アルデヒド、アニスアルデヒド、サイクラメンアルデヒド、シトラール、アセトフェノン、ベンゾフェノン、アセトナフトン、ネロン、ニトロムスク等の合成ムスク、酢酸ゲラニル、酢酸ボルニル、酢酸フェニルエチル、酢酸ミルセニル、安息香酸メチル、桂皮酸メチル、メチルアンスラニル酸メチル、合成オークモス、クマリン等の合成香料；等が挙げられる。
香料の配合量は、通常０〜０．５重量％、好ましくは０．１〜０．３重量％である。
【００３７】
着色剤としては、染料、天然色素、無機顔料等のいずれもが使用できる。
染料としては、例えば、赤色２号、赤色３号、赤色１０２号、赤色１０４号の（１）、赤色１０５号の（１）、赤色１０６号、赤色２１３号、赤色２２７号、赤色２３０号の（１）、黄色４号、黄色５号、黄色２０１号、黄色２０１号の（１）、黄色２０３号、だいだい色２０５号、緑色３号、緑色２０１号、緑色２０４号、青色１号、青色２号、青色２０５号、紫色２０１号、褐色２０１号等が挙げられる。
【００３８】
天然色素としては、クロロフィル類、クチナシ類、フラボノイド系、カロチノイド系、キノン系、リボフラビン類が挙げられる。
【００３９】
無機顔料としては、二酸化チタン、タルク、カオリン、雲母類、ケイ酸マグネシウム、無水ケイ酸、炭酸カルシウム、炭酸マグネシウム等が挙げられる。
これらの着色剤は一種単独で、あるいは二種以上を組み合わせて用いることができる。
着色剤の配合量は、通常０〜０．５重量％、好ましくは０．１〜０．２重量％である。
【００４０】
防腐剤としては、安息香酸ナトリウム、パラオキシ安息香酸メチル、パラオキシ安息香酸エチル、パラオキシ安息香酸プロピル、パラオキシ安息香酸ブチル、パラオキシ安息香酸イソブチル、ベンジルアルコール、塩化ベンザルコニウム等が挙げられる。
【００４１】
粘性付与剤としては、ヒドロキシエチルセルロース、ヒドロキシプロピルメチルセルロース、メチルセルロース、キサンタンガム、ジステアリン酸ポリエチレングリコール、モノステアリン酸ポリエチレングリコール等が挙げられる。
【００４２】
本発明の組成物を調製する方法は、特に限定されない。例えば、上記蛋白分解酵素、脂肪分解酵素、所望によりその他の成分からなる混合物を、公知の撹拌装置、例えば、バートオーミキサー、ナウターミキサー、万能混合攪拌機、リボンミキサー、Ｖ字型混合機等を使用して、均一に混合・撹拌することにより粉末体を調製する方法を採用できる。
【００４３】
本発明の組成物を使用することにより、物品にこびりついた皮脂やたんぱく質やそれから発生したカビ等を短時間で確実に除去することができる。
また本発明の組成物は、人に対する刺激が少ないため、触れても問題はなく、安心して使用することができる。
【００４４】
洗浄液の調製に用いる本発明の組成物の使用量は、水６〜１０リットルに対し、通常１〜１０ｇ、好ましくは３〜７ｇである。
【００４５】
〈マイクロバブル〉
マイクロバブルは、直径が５０μｍ以下の微細な気泡であり、通常の気泡と異なり、水中で縮小し、消滅（圧壊）する性質を有する。マイクロバブルは、圧壊するときの衝撃波により汚れを除去することができる。また、マイクロバブルはマイナスイオンを帯びており、プラスイオンである汚れと結びついて浮上しながら水中で消滅し、汚れを水面へと浮かび上がらせることができる。マイクロバブルを含有する洗浄液を物品の洗浄に用いると、マイクロバブルは微細なため、物品が入り組んだ形状であっても、内部にまで到達でき、汚れ等を吸着・除去することができる。
【００４６】
マイクロバブルを含有する洗浄液を得るためには、通常、後述するマイクロバブル発生装置を用いる。水は表面張力が高いため、通常のバブリングでは１００μｍ以下の気泡を生成させることは不可能である。
【００４７】
マイクロバブル発生装置としては、マイクロバブルを発生させることができる装置であれば、特に制約はなく、公知のものを用いることができる。例えば、ベンチュリー管（一部がくびれた構造を有する管）、又はオリフィス板（中心に孔の開いたドーナツ状の板）を内蔵した吐出口内でマイクロバブルを発生させる装置（特開２００６−１１６５１８号公報、特願２００６−７７５５３号等）；液体中に配置した本体パイプ内に気体を混合した液体を吐出し、本体パイプ内の下流側に配置した衝突壁に衝突させてマイクロバブルを発生させる装置（特開２００５−３３４８６９号公報）；空気ポンプ等の空気圧送源で、加圧した空気を微細目の網部材又は多孔質板等を通して水中に吹き出してマイクロバブルを発生させる装置（特開２００６−６８６３１号公報等）；渦巻き水流を作り、この水流で空気を剪断してマイクロバブルを発生させる装置（特開２００３−１２６６６５号公報等）；等が挙げられる。これらの中でも、特願２００６−７７５５３号に記載されたマイクロバブル発生装置を用いるのが好ましい。
【００４８】
〈洗浄方法〉
本発明の洗浄方法は、上述した本発明の組成物及びマイクロバブルを含有する洗浄液を用いることを特徴とする。
具体的には、清浄な水（又は温水）に適量の本発明の組成物を添加して洗浄液を調製し、この洗浄液にマイクロバブルを含有させたものを用いて、物品を洗浄するものである。
【００４９】
前記本発明の組成物及びマイクロバブルを含有する洗浄液を用いて物品を洗浄する方法としては、例えば、
（ｉ）清浄な水（又は温水）に適当量の本発明の組成物を添加して得られる洗浄液をタンク等の容器に入れる。この洗浄液を適当な方法でマイクロバブル発生装置に導入し、該装置内で洗浄液にマイクロバブルを含有させ、このマイクロバブルを含有する洗浄液を物品に向けてシャワーノズルから吐出させて、物品を洗浄する方法、
（ｉｉ）洗浄槽内に清浄な水（又は温水）を入れ、ここに適当量の本発明の組成物を添加して洗浄液とする。次いで、この洗浄液中に、マイクロバブル発生装置に連結されたノズルからマイクロバブルを含む水（又は温水）を送り込んで、マイクロバブルを含有する洗浄液を調製し、この洗浄液内に物品を浸漬させて洗浄する方法、
（ｉｉｉ）前記（ｉ）の方法において、シャワーノズルから吐出したマイクロバブルを含有する洗浄液によって物品を洗浄する際、洗浄槽内又は洗浄槽上で物品を洗浄して、洗浄後の洗浄液がタンク等の容器（洗浄槽）に戻るように（洗浄液が循環するように）、物品を洗浄する方法、
等が挙げられる。
【００５０】
（ｉｉｉ）の方法を採用する場合においては、洗浄液をフィルターを通過させて汚染物等を除去しながら循環させるのが、洗浄液を効率よく利用できる上で好ましい。
【００５１】
また、（ｉ）の方法においては、特に洗浄槽を設置する必要がないため、流し等において、マイクロバブルを含有する洗浄液をシャワーノズルから物品に向けて吐出するだけで、簡便に物品の洗浄を行うことができる。
【００５２】
より具体的に、図１に示すごとき装置を用いて物品を洗浄する方法を説明する。
図１に示す洗浄装置は、洗浄する物品を入れる洗浄槽２０とマイクロバブル発生部とからなる。
【００５３】
マイクロバブル発生部の拡大図を図２に示す。図２に示すマイクロバブル発生部１０は、本体１、洗浄槽２０から洗浄液を本体１内に輸送する吸引管４、洗浄液中のゴミ等を除去するフィルターユニット５、洗浄液及び空気を吸引するスクリューポンプ１２、スクリューポンプ１２の入口１２ａに逆止弁１３を介して連結されたエアフィルタ１４、主に余分な空気を外部に排出する気液分離装置１５、本体１から洗浄槽２０に洗浄液を輸送する吐出管２、マイクロバブルを発生させるためのオリフィス板を内蔵するノズルユニット７、並びに、吐出管２の先端に配置され、マイクロバブルを含有する洗浄液を吐出する吐出口８から構成されている。
【００５４】
先ず、洗浄槽２０に水（又は温水）を入れる。ここに、本発明の組成物を、洗浄槽中の水５〜１０リットルにつき、５〜６ｇ投入して軽く撹拌する。
【００５５】
ここで用いる洗浄用組成物は、具体的には、局方ホウ砂：２５重量％、炭酸水素ナトリウム：２５重量％、硫酸ナトリウム：５０重量％、パンクレアチン：０．１重量％、プロチンＡＣ：０．１５重量％、リパーゼ：０．５重量％、サイリシア：０．１５重量％、香料：０．２重量％、色素：０．１２重量％の各成分を、公知の撹拌装置により撹拌混合して調製したものである。
【００５６】
次に、吸引管４の先端を洗浄槽２０の底部に設置する。スクリューポンプ１２を作動させることにより、洗浄槽２０内の洗浄液は吸引管４からフィルターユニット５を通過してスクリューポンプ１２内に導入される。それと同時に、エアフィルタ１４を介して適量の空気がスクリューポンプ１２内に吸引される。
【００５７】
洗浄液と空気が導入されたスクリューポンプ１２内では、内部で回転するインペラーによって気泡が剪断され微細化されることによって洗浄液中に空気が溶解する。空気が溶解した洗浄液は未溶解の気泡とともにスクリューポンプ１２の出口１２ｂから吐出され、気液分離装置１５に送られる。この気液分離装置１５では、洗浄液への空気の溶解がさらに促されると共に、未溶解の空気が気液分離装置１５の上部に設置されたリリーフ弁１５ａから大気中に排出される。
【００５８】
多量の空気が溶解した洗浄液は、気液分離装置１５から吐出管２を通って、洗浄槽２０の側面底部に沈めた吐出管２の先端に取り付けた吐出口８から吐出され、洗浄槽２０に戻される。吐出口８は、洗浄槽２０の側面や底部に予め設けられた導入部を介して接続されていてもよい。
【００５９】
吐出口８には、ノズルユニット７が取り付けられている。ノズルユニット７には、複数枚のオリフィス板が直列に内蔵されており、オリフィス板を洗浄液が通過するごとに、洗浄液が圧縮膨張され、その過程で洗浄液中に溶解していた空気がマイクロバブルとなって洗浄液中に発生する。そして、そのマイクロバブルを含有する洗浄液が吐出口８から洗浄槽中に吐出される。
【００６０】
マイクロバブルを含有する洗浄液が吐出された洗浄槽は、微小な気泡で満たされ、白濁しているかのように見える。マイクロバブルは浮力が小さいため、すぐには水面に上昇せず長時間水中を浮遊するので、効果が持続する。
【００６１】
洗浄槽２０内の洗浄液がマイクロバブルで満たされたら、スクリューポンプ１２の運転を停止してもよいし、運転を継続してもよい。この洗浄槽２０内に物品を浸ける。
【００６２】
洗浄に要する時間は、マイクロバブル洗浄用組成物の種類や物品の形状、大きさ等にもよるが、通常１分〜数十分程度、好ましくは５〜１０分である。
【００６３】
洗浄する温度は、特に限定されないが、物品に優しく、優れた洗浄効果が得られる観点から、２０〜４０℃が好ましい。常温でも十分な洗浄力を発揮できるため、経済的である。
【００６４】
なお、マイクロバブル発生部１０の本体１内、又は洗浄槽２０の適当な場所には、ヒーターユニットを設けてもよい。該ヒーターユニットにより洗浄液を加熱し、洗浄槽２０内の洗浄液や吐出口８から吐出される洗浄液の温度を、設定した適温になるように温度制御することができる。
【００６５】
マイクロバブルを含有する洗浄液が物品に接触すると、先ず、洗浄槽中に投入した本発明の洗浄用組成物中の蛋白分解酵素、脂肪分解酵素が効果的に働き、物品の表面にこびりついた皮脂等が分解除去される。また、洗浄液に含まれるマイクロバブルが物品の表面で弾けてパルス衝撃が発生し、この超微振動によって、付着した汚れ等を効果的に除去することができる。
さらに、細かく入り組んだ形状を有する物品であっても、マイクロバブルが容易に隙間の奥にまで入り込み、奥の汚れを有効に除去することができる。
【００６６】
本発明の洗浄方法によれば、ブラシやスポンジ等で力を入れてこする必要がないため、物品を傷めることがなく、また、隙間の奥の汚れまでも、短時間で安全に確実に簡便に除去することができる。
【００６７】
また、超音波洗浄方法と異なり、細かい振動が連続して発生して物品に衝撃を与えるということがない。そのため、腕時計のバンドを洗浄する場合であっても、時計が日常防水加工が施されたものであれば、時計本体をバンドから外したり、時計本体が水槽中に浸からないように気を付ける等の煩わしさなく、腕時計ごと洗浄液に浸けたり、シャワーノズルからマイクロバブルを含有する洗浄液をかけて洗浄することができる。
【００６８】
さらに、超音波洗浄方法により眼鏡を洗浄する場合、細かい振動によりネジが緩んでしまう場合がある。眼鏡のネジは小さいため、外れると紛失しやすいが、本発明の洗浄方法においては、そのような心配がない。
【００６９】
洗浄後は、必要に応じて洗浄液を軽く水で流し乾燥させる。本発明の洗浄方法においては、界面活性剤を用いないため、すすぎを行う必要がほとんどない。
乾燥方法としては、特に制約はなく、物品にもよるが、温風乾燥、自然乾燥、布等で水分を拭き取る等の方法が挙げられる。
【００７０】
洗浄ができたことは、マイクロスコープ等で物品を観察することにより、汚れやカビ等が除去されていることで確認することができる。
【実施例】
【００７１】
以下、実施例により本発明を更に詳細に説明するが、本発明は下記の実施例に限定されるものではない。
【００７２】
（実施例１）
図１に示す装置を使用して、マイクロバブル入りの洗浄用組成物の水溶液を調製し、この水溶液をコップの中に入れ、金属製時計バンドを該水溶液中に浸漬させた。
【００７３】
蛋白分解酵素及び脂肪分解酵素を含有するマイクロバブル洗浄用組成物としては、以下の組成のものを用いた。組成物の使用量は、お湯５〜１０リットルにつき、５〜６ｇとした。洗浄時間は５分、温水温度は３０℃とした。
【００７４】
〈洗浄用組成物〉
局方ホウ砂：ｃａ．２５重量％、炭酸水素ナトリウム：ｃａ．２５重量％、硫酸ナトリウム：ｃａ．５０重量％、パンクレアチン：０．１重量％、プロチンＡＣ：０．１５重量％、リパーゼ：０．５重量％、サイリシア：０．１５重量％、黄色系着色料：微量
【００７５】
腕時計のバンド部分を洗浄している状態の写真を図３に示す。また、図３に示す腕時計の洗浄前と洗浄後の、マイクロバブル入りの洗浄用組成物の水溶液の写真を図５、図６にそれぞれ示す（図３、図５、図６のカラー写真を別途提出する。）。図６の写真から、洗浄後にはバンドの隙間の奥の方にこびりついていた黒い汚れが洗浄除去されていることがわかる。
【００７６】
（実施例２）
図１に示す装置を使用して、マイクロバブル入りの洗浄用組成物の水溶液を調製し、この水溶液をシャワーノズルから吐出させて、腕時計を約５分間洗浄した。洗浄する状態の写真を図４に示す。洗浄後にはバンドの隙間の奥の方にこびりついていた黒い汚れが洗浄除去されていた（図４のカラー写真を別途提出する。）。
【符号の説明】
【００７７】
１・・・本体
２・・・吐出管
４・・・吸引管
５・・・フィルターユニット
７・・・ノズルユニット
８・・・吐出口
１０・・・マイクロバブル発生部
１２・・・スクリューポンプ
１２ａ・・・スクリューポンプ入口
１２ｂ・・・スクリューポンプ出口
１３・・・逆止弁
１４・・・エアフィルター
１５・・・気液分離装置
１５ａ・・・リリーフ弁
２０・・・洗浄槽
【図１】
0005795159.tif 000002
【図２】
0005795159.tif 000003
【図３】
0005795159.tif 000004
【図４】
0005795159.tif 000005
【図５】
0005795159.tif 000006
【図６】
0005795159.tif 000007